(57)【要約】      （修正有）【課題】周辺機器をレールに沿って移動させたり固定させる際の操作が容易で構造が簡単な固定具を備えたＸ線透視撮影装置を提供する。【解決手段】固定具１０は固定ベース３１と、該固定ベース３１に一端が固定された板バネ３３と、該板バネ３３の開放側に固定されたゴム板３４及び半円筒状の突起３５と、該突起３５の凸面に接する凹面が形成されたボタン３２からなる構造を有し、レール９ａに滑動可能に保持され、天板９の反対側に周辺機器１１が支持されている。一方、ボタン３２の上端が固定ベース３１に押し込まれると、突起３５がボタン３２の凹面から外れ平面に乗り上げ板バネ３３を介してゴム板３４をレール９ａに圧接し、固定具１０はレール９ａに固定される。【選択図】図３
0003148807.tif 000002
【実用新案登録請求の範囲】
【請求項１】
被検者を載置し周辺機器を固定具を介して支持するレールを有する天板と、前記天板を水平方向にスライド可能及び／又は昇降可能に基台部に支持してなる検診台を備えたＸ線透視撮影装置において、前記固定具は前記レールに対して押圧・離反可能に対置される固定ベースと、この固定ベースを前記レールに対して押圧・離反させる当接体と、この当接体を前記固定ベースに押圧または離反させるカム機構からなる構造を特徴とするＸ線透視撮影装置。
【請求項２】
被検者を載置し周辺機器を固定具を介して支持するレールを有する天板と、前記天板を水平方向にスライド可能及び／又は昇降可能に基台部に支持してなる検診台を備えたＸ線透視撮影装置において、前記固定具は、固定具ベースと、前記固定具ベースに一端が固定される板バネと、前記板バネの開放側で前記レールに近接して固定される当接体と、前記板バネの開放側で前記当接体の反対側に固定される半円筒状の凸部又は凹部と、前記凸部又は凹部に接する凹部又は凸部が形成され前記固定具ベースに摺動可能に保持されるボタンからなる構造を有していることを特徴とするＸ線透視撮影装置。
【請求項３】
前記当接体は弾性体からなる構造であることを特徴とする請求項１及び請求項２記載のＸ線透視撮影装置。
【考案の詳細な説明】
【技術分野】
【０００１】
この考案は、Ｘ線透視撮影装置に係り、特に天板に配設されたレールへの周辺機器の固定法に関する。
【背景技術】
【０００２】
Ｘ線透視撮影装置の検診台上部に位置する天板には、装置の操作をする操作部をはじめとして心電計や点滴台等の周辺機器を固定具を介して保持する棒状のレールが天板の両サイド長手方向に配設されている。検診の種類によって使用する周辺機器の種類や使用に適した固定位置が異なるため、前記レールは術者が周辺機器を望む位置に固定可能な構造を有する。
【０００３】
被検者を載置した天板は、昇降動作や水平方向のスライド移動や、チルト等の傾斜動作をするものなどあり、レールに固定具を介して保持される周辺機器は滑動し又は落下しないように確実に固定される必要がある。
【０００４】
従来の固定具の例を図５に示す。図５において、固定具５０は、固定ベース５１と、先端にシュー５３を備えたハンドル付ネジ５２からなる構造を有し、天板９にスペーサを介して支持されるレール９ａに滑動可能に保持され、周辺機器１１が支持されている。ハンドル付ネジ５２をねじ込むことでシュー５３がレール９ａに圧着しレール９ａに固定具５０は固定される。
【０００５】
一方、天板を長手方向、短手方向、鉛直方向のそれぞれの方向へ術者の操作によって移動可能に設けられる持ち手を常に操作しやすい位置に配置できる検診台が提供されている。該検診台ではスイッチを併設した持ち手をレールの上を自由に移動できる構造にし、天板移動可能状態にするスイッチが押された時だけレールに持ち手を固定させることにより、術者は必要な時に必要な場所に持ち手を移動して、天板を移動する時はレールに固定されて、持ち手としての機能を充分発揮させることが可能となる（例えば特許文献１参照）。
【特許文献１】特開平１１−２９０３１１号公報
【考案の開示】
【考案が解決しようとする課題】
【０００６】
図５に示す固定具５０は構造が単純で安価であるが、被検者を天板９に載せたり降ろしたりする際等、頻繁に周辺機器１１を移動させる必要がある場合はその作業が煩雑である。また、検査中は検診台全体が滅菌カバーで覆われており、該滅菌カバーの上からハンドル付ネジ５２を回すという作業は困難である。一方、スイッチを併設した持ち手はスイッチが押された時作動するソレノイドコイルを介してブレーキが働く構造であり、構成が複雑である。
【０００７】
上述の課題を解決し、周辺機器をレールに沿って移動させたり固定させる際の操作が容易で構造が簡単な固定具を備えたＸ線透視撮影装置を提供する。
【課題を解決するための手段】
【０００８】
本考案は被検者を載置し周辺機器を固定具を介して支持するレールを有する天板と、前記天板を水平方向にスライド可能及び／又は昇降可能に基台部に支持してなる検診台を備えたＸ線透視撮影装置において、前記固定具は前記レールに対して押圧・離反可能に対置される固定ベースと、この固定ベースを前記レールに対して押圧・離反させる当接体と、この当接体を前記固定ベースに押圧又は離反させるカム機構からなる構造である。
【０００９】
さらに本考案が提供するＸ線透視撮影装置の固定具は、固定具ベースと、前記固定具ベースに一端が固定される板バネと、前記板バネの開放側で前記レールに近接して固定される当接体と、前記板バネの開放側で前記当接体の反対側に固定される半円筒状の凸部又は凹部と、前記凸部又は凹部に接する凹部又は凸部が形成され前記固定具ベースに摺動可能に保持されるボタンからなる構造である。
【００１０】
さらに前記当接体は弾性体からなる構造である。したがって、ボタンの移動で当接体がレールに圧接されたり開放されたりする。周辺機器をレールに沿って移動させたり固定させる際の固定具の操作は簡単である。
【考案の効果】
【００１１】
被検者を天板に載せたり降ろしたりする際等、頻繁に周辺機器を移動させる必要がある場合でもその作業が容易であり、検診台全体が滅菌カバーで覆われていても該滅菌カバーの上から操作できる構造が簡単で安価な固定具を備えたＸ線透視撮影装置を供給可能である。
【考案を実施するための最良の形態】
【００１２】
本考案はＣ型アームを備えたＸ線透視撮影装置に適用される。
【実施例】
【００１３】
本考案の実施例について図１〜図４を参照して説明する。図１は、本考案の実施例によるＸ線透視撮影装置の概略構成を示す図である。図２は、本考案の実施例による周辺機器１１とレール９ａとの固定あるいは開放状態を示す図である。図３は、本考案の実施例による固定具１０の構造を示す図である。図４は、本考案の実施例による固定具１０の他の応用例を示す図である。
【００１４】
本考案の実施例によるＸ線透視撮影装置は、図１に示すとおり、撮像装置本体１と検診台２で構成される。撮像装置本体１はＣアーム基台６に回動可能に支持されたＣアーム５の両端にＸ線管３と例えばＦＰＤなどで構成されるＸ線像検出器４を配設して構成されている。検診台２は、床面に設置され鉛直方向に伸縮可能な基台７と、その上方で天板基台８を介して水平方向にスライド可能に取り付けられた天板９で構成され、天板９の術者Ｄ側に配設されたレール９ａに周辺機器１１を支持する２個の固定具１０が滑動可能に跨架されている。固定具１０に備えられたボタン３２の上端を押し込むと固定具１０はレール９ａに固定される。Ｘ線管３とＸ線像検出器４を天板９に載置された被検者を挟んで対向配置させ、Ｘ線管３からＸ線を照射しＸ線像検出器４でＸ線透過像を得、該Ｘ線透過像は図示しないモニタに表示される。
【００１５】
固定具１０は、図２（１）に示すとおりボタン３２が上方に突き出している状態では、レール９ａ上を滑動可能であり、図２（２）に示すとおりボタン３２の上端が押し込まれている状態ではレール９ａに固定されている。ボタン３２は固定具１０を鉛直方向に貫通し図２（２）の状態では固定具１０の下側に突き出している。なお、図２において図１と同じ符号で示す部品は図１と同じものなので説明は省略する。
【００１６】
本考案の実施例による固定具１０の構造を図３に示す。図３（１）において、固定具１０は固定ベース３１と、該固定ベース３１に一端が固定された板バネ３３と、該板バネ３３の開放側に固定された当接体（ゴム板３４）及び半円筒状の突起３５と、該突起３５の凸面に接する凹面とネジ３６が挿入される長穴状のガイド穴３２ａが形成されたボタン３２からなるカム機構の構造を有し、天板９にスペーサを介して支持されるレール９ａに滑動可能に保持され、天板９の反対側に周辺機器１１が支持されている。
【００１７】
図３（２）に示すとおり、ボタン３２の上端が固定ベース３１に押し込まれると、突起３５がボタン３２の凹面から外れ平面に乗り上げ板バネ３３を介してゴム板３４をレール９ａに圧接し、固定具１０はレール９ａに固定される。なお、ボタン３２の移動範囲の下端はネジ３６がガイド穴３２ａの上端に接する位置、ボタン３２の移動範囲の上端はネジ３６がガイド穴３２ａの下端に接する位置である。また、図３（２）において図３（１）と同じ符号で示す部品は図３（１）と同じものなので説明は省略する。
【００１８】
図３に示す実施例では、板バネ３３には端面に半円筒状の凸部を有する突起３５が配設されボタン３２に該凸部に接する凹部が形成されているが、板バネ３３には端面に半円筒状の凹部を有する突起が配設されボタンに該凹部に接する凸部が形成される構造でも同じ機能を有する。
【００１９】
本考案の実施例による固定具１０は、レール９ａに取り付けるそれぞれの機器に使用されるだけでなく、図４に示すとおり、複数の機器をまとめて移動できるような構造としてもよい。図４において、周辺機器１１、１２、１３は従来の固定具５０を介して第二レール４０に保持され、該第二レール４０は固定具１０を介してレール９ａに保持されている。したがって、周辺機器１１、１２、１３はボタン３２の簡単な操作でまとめてレール９ａ上を移動させたり固定させることが可能である。
【００２０】
本考案の実施例は以上の構造であるから、被検者を天板９に載せたり降ろしたりする際等、頻繁に周辺機器１１を移動させる必要がある場合でもその作業が容易であり、検診台２全体が滅菌カバーで覆われていても該滅菌カバーの上から操作できる構造が簡単で安価な固定具１０を備えたＸ線透視撮影装置を供給可能である。
【００２１】
図に示す実施例では、Ｃ型アームを備えたＸ線透視撮影装置の例について述べたが、天井走行式のＸ線透視撮影装置あるいはＣアームテーブルを備えたＸ線透視撮影装置においても本考案は適用可能である。また、ボタン３２の移動範囲はネジ３６とガイド穴３２ａにより制限されるが、代わりにボタン３２の上下端にストップ用板を配設した構造でも本考案は適用可能であり、本考案はこれら変形例を包含する。また上記実施例では半円筒状の突起等を使用するカム機構の構造を例に挙げたが、クサビや円形カム等一般的なカム機構をも適用でき、本考案は上記実施例ならびに図示例には限定されない。
【産業上の利用可能性】
【００２２】
この考案は、Ｘ線透視撮影装置に係り、特に天板に配設されたレールへの周辺機器の固定法に関して利用の可能性がある。
【図面の簡単な説明】
【００２３】
【図１】本考案の実施例によるＸ線透視撮影装置の概略構成を示す図である。
【図２】本考案の実施例による周辺機器とレールとの固定あるいは開放状態を示す図である。
【図３】本考案の実施例による固定具の構造を示す図である。
【図４】本考案の実施例による固定具の他の応用例を示す図である。
【図５】従来の固定具の構造を示す図である。
【符号の説明】
【００２４】
１  撮像装置本体
２  検診台
３  Ｘ線管
４  Ｘ線像検出器
５  Ｃアーム
６  Ｃアーム基台
７  基台
８  天板基台
９  天板
９ａ  レール
１０  固定具
１１  周辺機器
１２  周辺機器
１３  周辺機器
３１  固定ベース
３２  ボタン
３２ａ  ガイド穴
３３  板バネ
３４  ゴム板
３５  突起
３６  ネジ
４０  第二レール
５０  固定具
５１  固定ベース
５２  ハンドル付ネジ
５３  シュー
Ｄ  術者
【図１】
0003148807.tif 000003
【図２】
0003148807.tif 000004
【図３】
0003148807.tif 000005
【図４】
0003148807.tif 000006
【図５】
0003148807.tif 000007
【手続補正書】
【提出日】平成20年12月16日(2008.12.16)
【手続補正１】
【補正対象書類名】実用新案登録請求の範囲
【補正対象項目名】請求項３
【補正方法】変更
【補正の内容】
【請求項３】
前記当接体は弾性体からなる構造であることを特徴とする請求項１又は請求項２記載のＸ線透視撮影装置。